(57)【特許請求の範囲】
【請求項１】
複数の鍵が上下方向に回転可能に取り付けられて配列された鍵盤シャーシと、
前記複数の鍵を覆うために前記鍵盤シャーシに開閉可能に取り付けられた鍵盤蓋と、
前記鍵盤シャーシの両側部を覆う一対の側板部を有する楽器ケースと、
前記鍵盤蓋の左右の両側部に設けられ、前記鍵盤蓋を前記鍵盤シャーシに取り付ける一対の取付部と、
前記楽器ケースの一対の側板部の後端部に設けられ、前記鍵盤蓋が開閉可能となるように前記一対の取付部が回転可能に挿入される装着凹部と、
を有することを特徴とする鍵盤装置。
【請求項２】
前記鍵盤シャーシと前記鍵盤蓋とは、その一方の両側部に設けられた一対の支持軸と、その他方の両側に設けられて前記一対の支持軸をそれぞれ回転自在に保持する一対の軸受部とを備えていることを特徴とする請求項１に記載の鍵盤装置。
【発明の詳細な説明】
【技術分野】
【０００１】
この発明は、電子ピアノなどの鍵盤装置に関する。
【背景技術】
【０００２】
従来、鍵盤装置においては、特許文献１に記載されているように、複数の鍵を鍵盤シャーシ上に上下方向に回転可能に取り付けられて配列された鍵盤部と、この鍵盤部を収容する楽器本体と、この楽器本体に取り付けられて鍵盤部を開閉自在に覆う鍵盤蓋とを備えた構成のものが知られている。
【先行技術文献】
【特許文献】
【０００３】
【特許文献１】特開平０７−２１０１４９号公報
【０００４】
この種の鍵盤楽器は、楽器本体の両側に位置する腕木に軸受部を設けると共に、鍵盤蓋の両側にダンパ部材を設け、このダンパ部材の軸部を楽器本体の軸受部に回転可能に取り付け、この状態でダンパ部材の軸部を中心に鍵盤蓋を回転させることにより、鍵盤蓋が開閉するように構成されている。
【発明の概要】
【発明が解決しようとする課題】
【０００５】
しかしながら、このような従来の鍵盤装置では、楽器本体内に鍵盤部を組み込み、この状態で楽器本体に鍵盤蓋を取り付ける際に、鍵盤部と鍵盤蓋との相互の取付位置を調整する必要がある。例えば、鍵盤部を収容した楽器本体に鍵盤蓋を取り付ける際に、鍵盤部に対して鍵盤蓋の取付位置が合っていない場合には、楽器本体に対する鍵盤蓋の取付位置を調整すると共に、楽器本体に対する鍵盤部の取付位置を調整しなければならないため、楽器本体に対する鍵盤部および鍵盤蓋の取付作業が煩雑で面倒であるという問題がある。
【０００６】
この発明が解決しようとする課題は、複数の鍵を開閉可能に覆うための鍵盤蓋の取付作業性の向上を図ることができる鍵盤装置を提供することである。
【課題を解決するための手段】
【０００７】
この発明は、上記課題を解決するために、次のような構成要素を備えている。
請求項１に記載の発明は、複数の鍵が上下方向に回転可能に取り付けられて配列された鍵盤シャーシと、
前記複数の鍵を覆うために前記鍵盤シャーシに開閉可能に取り付けられた鍵盤蓋と、
前記鍵盤シャーシの両側部を覆う一対の側板部を有する楽器ケースと、
前記鍵盤蓋の左右の両側部に設けられ、前記鍵盤蓋を前記鍵盤シャーシに取り付ける一対の取付部と、
前記楽器ケースの一対の側板部の後端部に設けられ、前記鍵盤蓋が開閉可能となるように前記一対の取付部が回転可能に挿入される装着凹部と、
を有することを特徴とする鍵盤装置である。
【０００８】
請求項２に記載の発明は、前記鍵盤シャーシと前記鍵盤蓋とが、その一方の両側部に設けられた一対の支持軸と、その他方の両側部に設けられて前記一対の支持軸をそれぞれ回転自在に保持する一対の軸受部とを備えていることを特徴とする請求項１に記載の鍵盤装置である。
【発明の効果】
【００１１】
この発明によれば、複数の鍵が配列された鍵盤シャーシに鍵盤蓋を取り付ける際に、鍵盤蓋の取付位置を複数の鍵に対して調整するだけで良いので、複数の鍵を開閉可能に覆うための鍵盤蓋の取付作業性の向上を図ることができる。
【図面の簡単な説明】
【００１２】
【図１】この発明を適用した鍵盤装置の実施形態１において鍵盤蓋を開いた状態を示した側面図である。
【図２】図１の鍵盤装置を示した平面図である。
【図３】図１の鍵盤装置において鍵盤蓋を閉じた状態を示した側面図である。
【図４】図３の鍵盤装置を一部省略して示した平面図である。
【図５】図１の鍵盤装置において複数の鍵が配列された状態の鍵盤シャーシの一部を示した拡大斜視図である。
【図６】図５のＡ−Ａ矢視における要部を示した拡大断面図である。
【図７】図２のＢ−Ｂ矢視における要部を示した拡大断面図である。
【図８】図５の鍵盤シャーシを楽器ケース内に収容する状態を示した分解図である。
【図９】この発明を適用した鍵盤装置の実施形態２において鍵盤蓋を開いた状態を示した側面図である。
【図１０】図９の鍵盤装置を示した平面図である。
【図１１】図９の鍵盤装置において鍵盤シャーシとその後部を覆う化粧パネルとの各一部を拡大して示した分解斜視図である。
【図１２】図１０のＣ−Ｃ矢視における要部を示した拡大断面図である。
【図１３】この発明を適用した鍵盤装置の実施形態３において鍵盤蓋を閉じた状態を示した側面図である。
【図１４】図１３の鍵盤装置において鍵盤蓋を開く際に鍵盤蓋を後方にスライドさせた状態を示した側面図である。
【図１５】図１４の状態の鍵盤装置において鍵盤蓋を回転させて開いた状態を示した側面図である。
【発明を実施するための形態】
【００１３】
（実施形態１）
以下、図１〜図８を参照して、この発明を適用した鍵盤装置の実施形態１について説明する。
この鍵盤装置は、図１および図２に示すように、楽器ケース１と、鍵盤シャーシ２と、鍵盤蓋３とを備えている。鍵盤シャーシ２は、図１〜図５に示すように、その上面に複数の鍵４が配列された状態で、楽器ケース１内に配置されるように構成されている。
【００１４】
すなわち、この鍵盤シャーシ２は、合成樹脂によって形成されており、この鍵盤シャーシ２の後部（図５では左上側）には、図５に示すように、鍵４を支持する鍵支持部５が設けられている。また、この鍵盤シャーシ２の前後方向における中間部には、スイッチ基板６が配置されており、鍵盤シャーシ２の前端部（図５では右下側）には、鍵４を上下方向にガイドして鍵４の横振れを防ぐための鍵ガイド部７が設けられている。
【００１５】
複数の鍵４は、図５に示すように、複数の白鍵８と複数の黒鍵９とからなっている。この場合、複数の白鍵８は、その各後端部に肉厚の薄い屈曲部８ａがそれぞれ設けられ、この屈曲部８ａが白鍵８の配列方向に沿って連続する連続部８ｂにそれぞれ連結形成された構成になっている。同様に、複数の黒鍵９は、その各後端部に肉厚の薄い屈曲部９ａがそれぞれ設けられ、この屈曲部９ａが黒鍵９の配列方向に沿って連続する連続部９ｂにそれぞれ連結形成された構成になっている。
【００１６】
この複数の鍵４は、図５に示すように、複数の白鍵８間に複数の黒鍵９が配置されて白鍵８の連結部８ｂと黒鍵９の連結部９ｂとが重ね合わされ、この重ね合わされた各連結部８ｂ、９ｂが鍵盤シャーシ２の後部における鍵支持部５上に配置されることにより、複数の白鍵８と複数の黒鍵９とが鍵盤シャーシ２上に配列され、この状態で重ね合わされた各連結部８ｂ、９ｂが鍵盤シャーシ２の後部における鍵支持部５上に締結部材１０によって取り付けられるように構成されている。
【００１７】
この場合、締結部材１０は、図５および図６に示すように、鍵盤シャーシ２の鍵支持部５の所定箇所に取り付けられたブッシュ１０ａと、このブッシュ１０ａに螺着するねじ部材１０ｂとからなっている。この締結部材１０は、鍵盤シャーシ２の鍵支持部５に取り付けられたブッシュ１０ａ上に、互いに重ね合わされた各連結部８ｂ、９ｂを配置した状態で、ねじ部材１０ｂを各連結部８ｂ、９ｂのねじ挿入孔（図示せず）に挿入させて各ブッシュ１０ａに螺着することにより、各連結部８ｂ、９ｂを鍵盤シャーシ２の鍵支持部５上に取り付けるように構成されている。
【００１８】
これにより、複数の鍵４は、図５に示すように、白鍵８が上方から押鍵操作されると、後部の屈曲部８ａが下側に向けて撓むように弾性変形して、白鍵８が鍵ガイド部７によってガイドされながら下側に変位し、この変位した白鍵８が初期位置に向けて復帰する際に、屈曲部８ａが元の形状に弾性復帰することにより、白鍵８ａが鍵ガイド部７によってガイドされながら上側に変位するように構成されている。
【００１９】
同様に、この複数の鍵４は、黒鍵９が上方から押鍵操作されると、後部の屈曲部９ａが下側に向けて撓むように弾性変形して、黒鍵９が鍵ガイド部７によってガイドされながら下側に変位し、この変位した黒鍵９が初期位置に向けて復帰する際に、屈曲部９ａが元の形状に弾性復帰することにより、黒鍵９ａが鍵ガイド部７によってガイドされながら上側に変位するように構成されている。
【００２０】
また、鍵盤シャーシ２の中間部に配置されたスイッチ基板６の上面には、図５に示すように、ゴムスイッチ１１が設けられている。このゴムスイッチ１１は、ゴムシート１１ａにドーム状の膨出部１１ｂを各鍵４に対応させて設けた構成になっている。この場合、ドーム状の膨出部１１ｂ内には、可動接点（図示せず）が設けられており、スイッチ基板６の上面には、可動接点が接離可能に接触する固定接点（図示せず）が設けられている。
【００２１】
これにより、ゴムスイッチ１１は、鍵４が押鍵操作されて下側に変位した際に、ドーム状の膨出部１１ｂが押されて弾性変形し、この弾性変形した膨出部１１ｂ内の可動接点がスイッチ基板６の固定接点に接触することにより、楽音を発音させるためのスイッチ信号を出力するように構成されている。また、このゴムスイッチ１１は、押鍵操作された鍵４が初期位置に復帰する際に、ドーム状の膨出部１１ｂが元の形状に復帰し、可動接点が固定接点から離れることにより、楽音の発音を停止させるスイッチ信号を出力するように構成されている。
【００２２】
ところで、この鍵盤シャーシ２には、図１〜図４に示すように、複数の鍵４を開閉可能に覆う鍵盤蓋３が取り付けられている。すなわち、この鍵盤シャーシ２の左右の両側部２ａにおける上部には、図５〜図７に示すように、一対の軸受部１２が設けられている。この一対の軸受部１２は、それぞれ鍵盤シャーシ２の外部から内部に貫通する孔部である。この一対の軸受部１２の上側に位置する鍵盤シャーシ２の両側部２ａには、軸受部１２から鍵盤シャーシ２の上端部に亘ってガイド溝１３がそれぞれ設けられている。
【００２３】
また、鍵盤蓋３は、合成樹脂からなり、図１〜図４に示すように、複数の鍵４が配列された鍵盤シャーシ２の上側を覆う横長の平板状に形成されている。この鍵盤蓋３の左右の両側部には、一対の取付部１４が鍵盤シャーシ２の両側部２ａの各外面に沿って下側に向けて延出された状態で一体に形成されている。この一対の取付部１４は、図１および図７に示すように、鍵盤シャーシ２の両側部２ａに設けられた一対の軸受部１２およびその各ガイド溝１３にほぼ対応する形状に形成されている。
【００２４】
この一対の取付部１４には、図７に示すように、鍵盤シャーシ２の各軸受部１２に挿入して回転自在に取り付けられる支持軸１５がそれぞれ一体に形成されている。この場合、一対の取付部１４と鍵盤蓋３との境界部分には、図７に示すように、スリット溝１６がそれぞれ取付部４の内面に沿って設けられている。
【００２５】
すなわち、このスリット溝１６は、図３および図４において取付部１４の後端部から取付部１４の前側中間部つまり支持軸１５に対応する箇所に亘って設けられている。これにより、一対の取付部１４は、各スリット溝１６によって鍵盤蓋３に対して接近する方向または離れる方向に撓み変形するように構成されている。
【００２６】
従って、一対の支持軸１５は、図７に示すように、鍵盤シャーシ２の各軸受部１２に挿入する際に、一対の取付部１４が互いに離れる方向に弾力的に押し広げられた状態で、一対の支持軸１５の各先端部１５ａが鍵盤シャーシ２の両側部２ａに設けられた各ガイド溝１３内に上方から挿入し、この各ガイド溝１３に沿って各先端部１５ａが下側に移動して軸受部１２に対応すると、一対の取付部１４の弾性復帰力によって一対の支持軸１５の各先端部１５ａが各軸受部１２に挿入するように構成されている。
【００２７】
これにより、鍵盤蓋３は、鍵盤シャーシ２の各軸受部１２にそれぞれ挿入された一対の支持軸１５を中心に上下方向に回転可能に鍵盤シャーシ２に取り付けられている。このため、この鍵盤蓋３は、図１に示すように、一対の支持軸１５を中心に反時計回りに回転して、鍵盤シャーシ２の後方に傾いて起立することにより、鍵盤シャーシ２の上部を開放して開くように構成されている。
【００２８】
また、この鍵盤蓋３は、図３に示すように、一対の支持軸１５を中心に時計回りに回転して、鍵盤蓋３の先端側下面に設けられたストッパ部３ａが後述する楽器ケース１の側板部１９上に当接して鍵盤シャーシ２の上側に配置されることにより、鍵盤シャーシ２の上部を覆って閉じるように構成されている。
【００２９】
また、この鍵盤シャーシ２の後端部には、図５に示すように、鍵盤蓋３の開閉状態を検出する蓋検出スイッチ２４が設けられている。この蓋検出スイッチ２４は、フォトダイオードからなり、鍵盤蓋３が鍵盤シャーシ２上を覆って閉じている状態のときに、外部光が遮断されてオフとなり、鍵盤蓋３が開いた状態のときに、外部光を受光してオンになるように構成されている。また、この蓋検出スイッチ２４は、接続線２４ａによって鍵盤シャーシ２上に配置されたスイッチ基板６と電気的に接続されている。
【００３０】
これにより、蓋検出スイッチ２４は、鍵盤蓋３を開いて使用する際に、オン信号を出力してスイッチ基板６のゴムスイッチ１１をオン状態にし、押鍵操作に応じた楽音の発音を可能な状態にするように構成されている。また、この蓋検出スイッチ２４は、鍵盤蓋３を閉じた際に、オフ信号を出力してスイッチ基板６のゴムスイッチ１１をオフ状態にし、楽音の発音を停止させるように構成されている。
【００３１】
一方、鍵盤シャーシ２を収容する楽器ケース１は、図８に示すように、鍵盤シャーシ２を載置する底板部１７と、この底板部１７の前端部（図８では右端部）に設けられた鍵盤シャーシ２の前端部を覆う前板部１８と、底板部１７の両側部（図８では紙面の表裏方向における両側部）に設けられて鍵盤シャーシ２の両側部を覆う一対の側板部１９と、この一対の側板部１９における後部上に設けられて鍵盤シャーシ２の後部上を覆う上板部２０とを備え、これらが合成樹脂によって一体に形成されている。
【００３２】
この場合、一対の側板部１９の後端部（図１では左端部）には、図１、図３および図７に示すように、鍵盤蓋３の両側部に設けられた一対の取付部１４がそれぞれ移動可能に挿入する装着凹部２１が設けられている。この装着凹部２１は、図７に示すように、側板部１９の外面から鍵盤シャーシ２側に向けて窪んだ状態で、側板部１９の後端部と側板部１９の上端部との間に、取付部１４が支持軸１５を中心に回転移動可能な範囲の広を有するほぼ三角形状に設けられている。これにより、装着凹部２１は、側板部１９の後端部と上端部とに開放されている。
【００３３】
この装着凹部２１の後側下部（図１では左側下部）には、図１および図３に示すように、鍵盤蓋３の取付部１４が支持軸１５を中心に回転して鍵盤蓋３が後方に傾いた状態で起立した際に、取付部１４の後端部（図１では下端部）が当接する第１当接部２１ａが設けられている。また、この装着凹部２１の前部（図１では右側部）には、図１および図３に示すように、鍵盤蓋３の取付部１４が支持軸１５を中心に回転して鍵盤蓋３が鍵盤シャーシ２上を覆った際に、取付部１４の前端部（図３では右端部）が当接する第２当接部２１ｂが設けられている。
【００３４】
また、この装着凹部２１には、図７に示すように、鍵盤蓋３の一対の取付部１４に設けられた支持軸１５がスライド可能に挿入するスライド取付溝２２が設けられている。このスライド取付溝２２は、鍵盤シャーシ２を楽器ケース１内に収容する際に、鍵盤蓋３の取付部１４に設けられた支持軸１５が挿入してスライドすることにより、鍵盤シャーシ２を楽器ケース１内の所定位置に配置するように構成されている。
【００３５】
そして、この楽器ケース１内に鍵盤シャーシ２を挿入させて取り付ける場合には、図８に示すように、楽器ケース１の後部側（図８では左側）から鍵盤シャーシ２の前部側を挿入する。すると、鍵盤シャーシ２の底部が楽器ケース１の底致部１７上を移動する。この後、楽器ケース１の上板部２０が鍵盤シャーシ２の後部上側に位置すると、鍵盤蓋３の両側に設けられた一対の取付部１４が一対の側板部１９に設けられた各装着凹部２１の後端部にそれぞれ対応すると共に、この各装着凹部２１に設けられた各スライド取付溝２２の後端部に一対の取付部１４の各支持軸１５がそれぞれ対応する。
【００３６】
この状態で、鍵盤シャーシ２を楽器本体１の前側に向けて更に移動させると、図７に示すように、鍵盤蓋３の取付部１４が側板部１９の装着凹部２１内にその後端部側から挿入すると共に、この装着凹部２１のスライド取付溝２２内にその後部側から取付部１４の支持軸１５が挿入し、鍵盤シャーシ２が楽器ケース１内の所定位置に位置する。
【００３７】
これにより、図１および図３に示すように、鍵盤シャーシ２の前端部が前板部１８に接近または接触し、鍵盤シャーシ２の後端部が楽器ケース１の後端部に位置する。この状態で、図１および図３に示すように、鍵盤シャーシ２を楽器ケース１にビス２３によって固定する。この場合、鍵盤シャーシ２の後端部がむき出しになるため、楽器ケース１の後端部に目隠し板（図示せず）を取り付けるようにしても良い。
【００３８】
このように、この鍵盤装置によれば、複数の鍵４が上下方向に回転可能に取り付けられて配列された鍵盤シャーシ２に、複数の鍵４を覆うための鍵盤蓋３を開閉可能に取り付けた構成であるから、複数の鍵４が配列された鍵盤シャーシ２に鍵盤蓋３を取り付ける際に、鍵盤蓋３の取付位置を複数の鍵４に対して調整するだけで良いので、複数の鍵４を開閉可能に覆うための鍵盤蓋３の取付作業性の向上を図ることができる。
【００３９】
すなわち、鍵盤シャーシ２の両側部２ａには、軸受部１２がそれぞれ設けられており、鍵盤蓋３の両側部には、支持軸１５が設けられた取付部１４がそれぞれ設けられているので、鍵盤蓋３を鍵盤シャーシ２上に配置する際に、鍵盤蓋３の取付部１４に設けられた支持軸１５を鍵盤シャーシ２の軸受部１２に挿入することにより、簡単に鍵盤蓋３を鍵盤シャーシ２に回転可能に取り付けることができる。
【００４０】
この場合、鍵盤シャーシ２の両側部２ａには、鍵盤蓋３の取付部１４に設けられた支持軸１５を鍵盤シャーシ２の軸受部１２にガイドするガイド溝１３が設けられているので、鍵盤シャーシ２の各軸受部１２に取付部１４の支持軸１５を挿入させる際に、支持軸１５の先端部１５ａを鍵盤シャーシ２のガイド溝１３に沿ってガイドすることができ、これにより簡単に且つ容易に鍵盤蓋３の支持軸１５を鍵盤シャーシ２の軸受部１２に挿入させて確実に取り付けることができる。
【００４１】
また、鍵盤蓋３の取付部１４と鍵盤蓋３との境界部分には、取付部１４を互いに離れる方向に弾性変形させるためのスリット溝１６がそれぞれ設けられているので、鍵盤シャーシ２の各軸受部１２に取付部１４の支持軸１５を挿入させる際に、一対の取付部１４を互いに離れる方向に弾力的に押し広げることができ、これにより支持軸１５の先端部１５ａを鍵盤シャーシ２のガイド溝１３に沿って円滑にガイドすることができる。
【００４２】
このため、鍵盤蓋３の支持軸１５を鍵盤シャーシ２の軸受部１２に簡単に且つ容易に挿入させて取り付けることができるので、鍵盤シャーシ２に対する鍵盤蓋３の取付作業性が良い。この場合、鍵盤シャーシ２は合成樹脂によって形成されているので、この鍵盤シャーシ２に軸受部１２およびガイド溝１３を鍵盤シャーシ２の成形時に一体に形成することができ、また鍵盤蓋３も合成樹脂によって形成されているので、取付部１４および支持軸１５を鍵盤蓋３の成形時に一体に形成することができる。これにより、部品点数を削減することができると共に、切削加工などの２次加工が不要であるから、生産性が高い。
【００４３】
また、この鍵盤装置では、複数の鍵４および鍵盤蓋３を除いて、鍵盤シャーシ２の外側面を覆う楽器ケース１を備えているので、この楽器ケース１によって鍵盤シャーシ２の外側面を覆うことにより、外観的にもデザイン的にも好ましく、商品価値の高いものを提供することができる。この場合、鍵盤シャーシ２に鍵盤蓋３を取り付けた状態で、鍵盤シャーシ２を楽器ケース１に組み込むことができるので、取付作業性が良いばかりか、コンパクトに収容することができる。
【００４４】
すなわち、楽器ケース１は、鍵盤シャーシ２を載置する底板部１７と、鍵盤シャーシ２の前端部を覆う前板部１８と、鍵盤シャーシ２の両側部を覆う一対の側板部１９と、鍵盤シャーシ２の後部上を覆う上板部２０とを備えた構成であるから、鍵盤シャーシ２に鍵盤蓋３を取り付けた状態でも、鍵盤シャーシ２を楽器ケース１内にスライドさせるだけで、簡単に且つ容易に収容することができる。
【００４５】
この場合、楽器ケース１の側板部１９の後部には、鍵盤蓋３の取付部１４が挿入する装着凹部２１が設けられており、この装着凹部２１には、鍵盤蓋３の取付部１４に設けられた支持軸１５がスライド可能に挿入するスライド取付溝２２が設けられていることにより、楽器ケース１内に鍵盤シャーシ２を収容する際に、鍵盤蓋３の取付部１４を側板部１９の装着凹部２１内に後端部側から挿入させることができると共に、この装着凹部２１のスライド取付溝２２内に取付部１４の支持軸１５を後部側から挿入させることができるので、鍵盤シャーシ２を楽器ケース１内にスライドさせるだけで、簡単に収容することができる。
【００４６】
また、この装着凹部２１の後側下部には、鍵盤蓋３の取付部１４が支持軸１５を中心に回転して鍵盤蓋３が後方に傾いた状態で起立した際に、取付部１４の後端部が当接する第１当接部２１ａが設けられているので、鍵盤蓋３を回転させて開いた際に、取付部１４の後端部が第１当接部２１ａに当接することにより、鍵盤蓋３を後方に傾けた状態で安定して起立させることができる。
【００４７】
また、この装着凹部２１の前部には、鍵盤蓋３の取付部１４が支持軸１５を中心に回転して鍵盤蓋３が鍵盤シャーシ２上を覆った際に、取付部１４の前端部が当接する第２当接部２１ｂが設けられているので、鍵盤蓋３を回転させて閉じた際に、取付部１４の後端部が第２当接部２１ｂに当接することにより、鍵盤蓋３を楽器ケース１上に安定させて配置することができる。この場合には、鍵盤蓋３の先端側の下面に設けられたストッパ部３ａが楽器ケース１の側板部１９上に当接するので、これによっても鍵盤蓋３を楽器ケース１上に安定させて配置することができる。
【００４８】
さらに、この鍵盤装置では、鍵盤シャーシ２の後端部に、鍵盤蓋３の開閉状態を検出する蓋検出スイッチ２４が設けられていることにより、鍵盤蓋３の開閉状態に応じて鍵盤シャーシ２に組み込まれた電子回路を自動的にオンーオフさせることができる。すなわち、この蓋検出スイッチ２４は、鍵盤蓋３を開いて使用する際に、オン信号を出力してスイッチ基板６のゴムスイッチ１１をオン状態にし、自動的に押鍵操作に応じた楽音の発音を可能な状態にすることができる。また、この蓋検出スイッチ２４は、鍵盤蓋３を閉じた際に、オフ信号を出力してスイッチ基板６のゴムスイッチ１１をオフ状態にし、自動的に楽音の発音を停止させることができる。
【００４９】
（実施形態２）
次に、図９〜図１２を参照して、この発明を適用した鍵盤装置の実施形態２について説明する。なお、図１〜図８に示された実施形態１と同一部分には同一符号を付して説明する。
この鍵盤装置は、図１１に示すように、鍵盤シャーシ３０が楽器ケースを兼ねた構成であり、これ以外は実施形態１とほぼ同じ構成になっている。
【００５０】
すなわち、この鍵盤シャーシ３０は、図１１に示すように、複数の鍵４を配列して搭載する鍵搭載部３１と、この鍵搭載部３１の両側に形成された一対のケース部３２とを備えた構成になっている。鍵搭載部３１は、実施形態１と同様、後部側（図１１で羽左上側）から前部側（図１１では右下側）に向けて順に、鍵支持部５、スイッチ基板６を搭載する基板搭載部３３、および鍵ガイド部７が一体に形成されているほか、この鍵ガイド部７の前側（図１１では右下側）に複数の鍵４の前端下部を覆う鍵カバー部３４が更に一体に形成された構成になっている。
【００５１】
また、一対のケース部３２は、図９〜図１２に示すように、鍵搭載部３１の両側をそれぞれ覆い隠すためのものであり、鍵搭載部３１とほぼ同じ高さで、鍵搭載部３１の後端部から前カバー部３４の前端部に亘って鍵搭載部３１の両側にそれぞれ一体に形成されている。この場合、一対のケース部３２の高さは、それぞれ鍵搭載部３１の底部から後部の鍵支持部５の上端面よりも高い位置、つまり白鍵８の連結部８ｂと黒鍵９の連結部９ｂとが重なり合った高さ、および黒鍵９の高さだけ、鍵搭載部３１よりも高く形成されている。
【００５２】
また、この一対のケース部３２の各後端上部には、実施形態１と同様、鍵盤蓋３の取付部１４に設けられた支持軸１５が挿入する軸受部１２がそれぞれ設けられており、この軸受部１２の上側に位置するケース部３２の箇所には、鍵盤蓋３を鍵盤シャーシ３０に取り付ける際に、鍵盤蓋３の支持軸１５をケース部３２の軸受部１２にガイドするためのガイド溝１３が軸受部１２からケース部３２の上端部に亘ってそれぞれ設けられている。
【００５３】
これにより、鍵盤蓋３は、実施形態１と同様、鍵盤シャーシ３０の各軸受部１２にそれぞれ挿入された一対の支持軸１５を中心に上下方向に回転可能に鍵盤シャーシ３０に取り付けられている。このため、この鍵盤蓋３は、一対の支持軸１５を中心に回転して、鍵盤シャーシ３０の後方に傾いて起立することにより、鍵盤シャーシ２の上部を開放して開くように構成されている。また、この鍵盤蓋３は、一対の支持軸１５を中心に回転して、鍵盤蓋３のストッパ部３ａが鍵盤シャーシ３０の各ケース部３２上に当接して、鍵盤シャーシ３０の上部に配置されることにより、鍵盤シャーシ３０の上部を覆って閉じるように構成されている。
【００５４】
また、この鍵盤シャーシ３０の後側上部には、図９〜図１１に示すように、複数の鍵４の後側上部および鍵盤シャーシ３０の後側上部を覆い隠すための化粧パネル３５が取り付けられている。この化粧パネル３５は、鍵搭載部３１の両側に形成された一対のケース部３２上に取り付けられることにより、鍵支持部５上に配置された白鍵８および黒鍵９の各連結部８ｂ、９ｂおよび各屈曲部８ａ、９ａを覆い隠すように形成されている。この場合、化粧パネル３５には、鍵盤シャーシ３０上に設けられた蓋検出スイッチ２４を上方に露出させるための切欠部３５ａが設けられている。
【００５５】
このような鍵盤装置によれば、実施形態１と同様の作用効果があるほか、鍵盤シャーシ３０が楽器ケースを兼ねているので、実施形態１のような楽器ケース１が不要となり、実施形態１よりも低価格なものを提供することができる。すなわち、この鍵盤シャーシ３０は、複数の鍵４を配列して搭載する鍵搭載部３１と、この鍵搭載部３１の両側に形成された一対のケース部３２とを備え、鍵搭載部３１に複数の鍵４の前端下部を覆う前カバー部３４が形成された構成であるから、実施形態１のような楽器ケース１を用いなくても、実施形態１と同様、外観的にもデザイン的にも好ましく、商品価値の高いものを提供することができると共に、実施形態１よりも、コンパクトなものを提供することができる。
【００５６】
なお、上述した実施形態１、２では、鍵盤シャーシ２または３０の両側部に一対の軸受部１２を設け、鍵盤蓋３の両側部に一対の取付部１４を設け、この一対の取付部１４に、軸受部１２に挿入する支持軸１５をそれぞれ設けた場合について述べたが、これに限らず、例えば鍵盤シャーシ２または３０の両側部に一対の支持軸１５を設け、鍵盤蓋３の両側部に一対の取付部１４を設け、この一対の取付部１４に支持軸１５が挿入する軸受部１２をそれぞれ設けた構成でも良い。
【００５７】
また、上述した実施形態１、２では、鍵盤シャーシ２または３０に軸受部１２を設け、この軸受部１２に鍵盤蓋３の支持軸１５を回転可能に挿入させることにより、鍵盤蓋３が軸受部１２に保持された支持軸１５を中心に回転して鍵盤シャーシ２または３０を開閉するように構成した場合について述べたが、これに限らず、例えば図１３〜図１５に示す変形例のように、鍵盤シャーシ４０にガイドレール部４１を設け、このガイドレール部４１で鍵盤蓋３の支持軸１５を移動可能にガイドすることにより、鍵盤蓋３を開閉するように構成しても良い。
【００５８】
すなわち、ガイドレール部４１は、図１３に示すように、鍵盤シャーシ４０の両側面（図１３では片面のみを示す）における前後方向のほぼ中間部から鍵盤シャーシ４０の後部に亘って設けられた溝部である。このガイドレール部４１は、鍵盤蓋３の支持軸１５を鍵盤シャーシ４０の前後方向に移動可能にガイドすると共に、その後端部において鍵盤蓋３の支持軸１５を回転可能に保持するように構成されている。この場合、鍵盤蓋３における前後方向のほぼ中間部には、取付部１４が設けられており、この取付部１４には、支持軸１５が設けられている。
【００５９】
これにより、鍵盤蓋３は、その支持軸１５がガイドレール部４１の前端部に位置した状態のときに、図１３に示すように、鍵盤シャーシ４０上に配置されて鍵盤シャーシ１の上部を覆って閉じるように構成されている。また、この鍵盤蓋３は、鍵盤シャーシ４０上に配置された状態で、図１４に示すように、鍵盤シャーシ４０の後方（図１４では左側）に向けてスライドされると、支持軸１５がガイドレール部４１に沿って鍵盤シャーシ４０の後部側に向けて移動し、この支持軸１５がガイドレール部４１の後端部に当接すると、支持軸１５の移動が停止されるように構成されている。
【００６０】
また、この鍵盤蓋３は、図１４に示すように、支持軸１５がガイドレール部４１の後端部に当接すると、支持軸１５がガイドレール部４１の後端部に回転可能に保持され、この状態で、図１５に示すように、支持軸１５を中心に上下方向に回転するように構成されている。この場合、鍵盤蓋３は、図１５に示すように、その後端部（図１５では下端部）が鍵盤シャーシ４０の後端面に当接すると、鍵盤シャーシ４０の後方に傾いて起立し、鍵盤シャーシ４０の上部を開放して開くように構成されている。
【００６１】
このような変形例の鍵盤装置によれば、鍵盤シャーシ４０にガイドレール部４１を設け、このガイドレール部４１で鍵盤蓋３の支持軸１５を移動可能にガイドすることにより、鍵盤蓋３を開閉するように構成したので、実施形態１、２と同様、複数の鍵４が配列された鍵盤シャーシ４０に鍵盤蓋３を取り付ける際に、鍵盤蓋３の取付位置を複数の鍵４に対して調整するだけで良いので、複数の鍵４を開閉可能に覆うための鍵盤蓋３の取付作業性の向上を図ることができる。
【００６２】
この場合、鍵盤蓋３を開く際には、鍵盤蓋３を鍵盤シャーシ４０の後方に向けてスライドされて支持軸１５をガイドレール部４１に沿って移動させた後、この支持軸１５を中心に鍵盤蓋３を回転させることにより、容易に鍵盤蓋３を開くことができる。また、鍵盤蓋３を閉じる際には、支持軸１５を中心に鍵盤蓋３を回転させて鍵盤シャーシ４０上に配置し、この状態で鍵盤蓋３を鍵盤シャーシ４０の前側にスライドさせるだけで、容易に鍵盤蓋３を閉じることができる。
【００６３】
なおまた、上述した実施形態１、２およびその変形例では、複数の鍵４が白鍵８および黒鍵９を有すると共に、白鍵８および黒鍵９がそれぞれ各屈曲部８ａ、９ａを各連結部８ｂ、９ｂに連結した簡易型の鍵盤装置に適用した場合について述べたが、これに限らず、例えば複数の鍵４の各後端部をそれぞれ支持軸に回転自在に取り付けた構成の鍵盤装置にも適用することができる。
【符号の説明】
【００６４】
１  楽器ケース
２、３０、４０  鍵盤シャーシ
２ａ  鍵盤シャーシの両側部
３  鍵盤蓋
４  鍵
５  鍵支持部
１２  軸受部
１３  ガイド溝
１４  取付部
１５  支持軸
１６  スリット溝
１７  底板部
１８  前板部
１９  側板部
２０  上板部
２１  装着凹部
２２  スライド取付溝
３１  鍵搭載部
３２  ケース部
３４  前カバー部
４１  ガイドレール部
【図１】
0005641277.tif 000002
【図２】
0005641277.tif 000003
【図３】
0005641277.tif 000004
【図４】
0005641277.tif 000005
【図５】
0005641277.tif 000006
【図６】
0005641277.tif 000007
【図７】
0005641277.tif 000008
【図８】
0005641277.tif 000009
【図９】
0005641277.tif 000010
【図１０】
0005641277.tif 000011
【図１１】
0005641277.tif 000012
【図１２】
0005641277.tif 000013
【図１３】
0005641277.tif 000014
【図１４】
0005641277.tif 000015
【図１５】
0005641277.tif 000016